(57)【要約】【課題】タービンの運転休止時におけるノズルからの水の滴下を無くすことで、滴下により生じるスプレイ管下の細管の壊食等を防止することができる。【解決手段】スプレイ装置１Ａは、水路をなすスプレイ管１１の上部にその管の長手方向に沿って所定間隔をもって複数のノズル１２を設けた構造をなし、そのスプレイ管１１は、内部を流通する水の上流側の供給管から下流側で複数本に分岐された経路により構成されている。ノズル１２は、噴出口１２ａを上に向けた状態でスプレイ管１１の天端部に設けられている。ノズル１２の噴出口１２ａが上向きであるので、タービンの運転休止時にスプレイ管１１内に水を供給しなくても、スプレイ管１１の外側の空気がノズル１２からスプレイ管１１内に混入するのを抑制することができ、ノズル１２からの水の滴下を無くすことを可能とした。【選択図】図３
2011122803.tif 000002
【特許請求の範囲】
【請求項１】
蒸気タービンの復水器に設けられるスプレイ装置であって、
水路をなすスプレイ管の上部に、噴出口を上に向けたノズルが設けられていることを特徴とするスプレイ装置。
【請求項２】
前記スプレイ管は、少なくとも前記ノズルが上側から下側に移動するように中心軸線を中心に回転可能としたことを特徴とする請求項１に記載のスプレイ装置。
【請求項３】
前記スプレイ管は、複数からなるスプレイ管群であり、
該スプレイ管群は、少なくとも前記ノズルが上側から下側に移動するように一体的に回転可能としたことを特徴とする請求項１に記載のスプレイ装置。
【請求項４】
蒸気タービンの復水器に設けられるスプレイ装置であって、
水路をなすスプレイ管に基端を接続して上向き或いは斜め上向きに延びる枝管が設けられ、該枝管の先端に噴出口を下に向けたノズルが設けられていることを特徴とするスプレイ装置。
【請求項５】
蒸気タービンの復水器に設けられるスプレイ装置であって、
水路をなすスプレイ管の下部に、噴出口を下に向けたノズルが設けられ、
該ノズルには、前記スプレイ管内の水圧に応じて前記噴出口を開閉する閉止手段が設けられていることを特徴とするスプレイ装置。
【請求項６】
前記閉止手段は、第１ばね部材によって付勢された第１閉止部を備え、
前記第１ばね部材の付勢時に前記第１閉止部によって前記噴出口を閉塞する構成とされたことを特徴とする請求項５に記載のスプレイ装置。
【請求項７】
前記第１ばね部材は、一端が前記スプレイ管に固定されると共に、他端に前記第１閉止部を備えたねじりコイルばねであることを特徴とする請求項６に記載のスプレイ装置。
【請求項８】
前記閉止手段は、前記ノズルと前記スプレイ管との間に流路体が介装され、該流路体内に第２ばね部材によって付勢された第２閉止部を備えた構成をなし、
前記第２ばね部材の付勢時に前記第２閉止部によって前記流路体の流路を閉塞する構成とされたことを特徴とする請求項５に記載のスプレイ装置。
【発明の詳細な説明】
【技術分野】
【０００１】
本発明は、蒸気タービンの復水器等に設けられるスプレイ装置に関する。
【背景技術】
【０００２】
従来、蒸気タービンにおける復水器では、タービン起動時および停止時にタービンバイパス管等から高エネルギーの余剰蒸気を受け入れ、冷却水と熱交換して復水化するシステムを採用している。ここで、高エネルギーの蒸気が復水器内を十分に拡散せずに流動してタービン車室や熱交換用の細管に到達した場合には、高エネルギー蒸気の流動部分で局部加熱が起こり、その部分で強度低下や熱疲労による損傷などが起こるおそれがある。
そこで、復水器内にスプレイ装置を設け、復水器内に流入した高エネルギーの蒸気流中に低温水の液滴を噴霧して冷却するようにしている。
【０００３】
ところで、タービンの運転休止中にスプレイ装置のノズルよりスプレイ管内に気体が溜まり、その気体が溜まった状態でスプレイ管内に給水すると、ノズルから高速度で気体が噴出することになる。この気体から液体に変わるときの流体は、その速度で噴出することができずに急激な速度低下となり、ウォーターハンマが発生し、振動や音が生じるうえ、配管や付属装置が損傷することがある。
そのため、タービンの運転休止中にあってもノズルからスプレイ管内に気体が混入しないように、スプレイ管内には少量の水を流しているのが一般的であるが、その水がノズルより滴下する不具合があった。そこで、このような不具合に対応するために、スプレイ管内に溜まる気体の容積を減らすためのスプレイ装置が、例えば特許文献１に開示されている。
【０００４】
図１１は、特許文献１で開示されているスプレイ装置の一例である。図１１に示すスプレイ装置１００は、ノズル１０１からノズルチューブ１０２がスプレイ管１０３内の上部に向かって伸び、スプレイ管１０３のスプレイノズル取付箇所では、上部管壁が上方に膨らんでポット１０４が形成され、そのポット１０４内にノズルチューブ１０２の上端開口部が突出した構成となっている。
【先行技術文献】
【特許文献】
【０００５】
【特許文献１】実開平６−７４８５４号公報
【発明の概要】
【発明が解決しようとする課題】
【０００６】
しかしながら、従来のスプレイ装置においては、以下のような問題があった。
すなわち、特許文献１（図１１）に示すスプレイ装置１００では、スプレイ管１０３のポット１０４内にのみ空気を滞留させるために、タービンの運転休止中でもスプレイ管１０３内に少しずつ水を流して、充満させた状態を維持する必要がある。この場合、ノズル１０１の位置がポット１０４より下にあるので、空気がポット１０４内に混入しやすく、その混入量とスプレイ管１０３内に供給する水量とをバランスさせる必要があり、混入する空気量が多いとスプレイ管１０３内に空気が混入する。一方、水が多い場合には、スプレイ管内の水がノズル１０１から滴下する状態となり、この状態が持続すると、滴下水がその下方に設置されている細管の表面に衝突し続け、細管に壊食等が生じるといった従来の問題となることから、その点で改良の余地があった。
【０００７】
本発明は、上述する問題点に鑑みてなされたもので、タービンの運転休止時におけるノズルからの水の滴下を無くすことで、滴下により生じるスプレイ管下の細管の壊食等を防止することができるスプレイ装置を提供することを目的とする。
【課題を解決するための手段】
【０００８】
上記目的を達成するため、本発明に係るスプレイ装置では、蒸気タービンの復水器に設けられるスプレイ装置であって、水路をなすスプレイ管の上部に、噴出口を上に向けたノズルが設けられていることを特徴としている。
【０００９】
本発明では、タービンの運転時には、ノズルから上向きに水を噴霧し、その噴霧した水がある高さで下方に落ちるのでスプレイ管の下方に配置される細管を冷却することができる。そして、ノズルの噴出口が上向きであるので、タービンの運転休止時にスプレイ管内に水を供給しなくても、スプレイ管の外側の空気がノズルからスプレイ管内に混入するのを抑制することができ、ノズルからの水の滴下を無くすことができる。また、タービンの再運転時にノズルからの噴出が気体から流体に変わることがなく、これによる大きな圧力変動が生じることがないので、ウォーターハンマの発生を防止することができ、ウォーターハンマの影響により生じる振動や音を無くすことが可能となる。
【００１０】
また、本発明に係るスプレイ装置では、スプレイ管は、少なくともノズルが上側から下側に移動するように中心軸線を中心に回転可能としたことが好ましい。
本発明では、タービンの運転時にはスプレイ管のノズルを下向きにした状態で噴霧し、タービンの運転休止時にはスプレイ管をその中心軸線を中心にして１８０度回転させてノズルの位置を上向きにする。これにより、タービンの運転休止時にスプレイ管内に水を供給しなくても、スプレイ管の外側の空気がノズルからスプレイ管内に混入するのを抑制することができる。
【００１１】
また、本発明に係るスプレイ装置では、スプレイ管は、複数からなるスプレイ管群であり、スプレイ管群は、少なくともノズルが上側から下側に移動するように一体的に回転可能としたことが好ましい。
本発明では、タービンの運転時にはスプレイ管群のノズルを下向きにした状態で噴霧し、タービンの運転休止時にはスプレイ管群を一体的に１８０度回転させてノズルの位置を上向きにする。これにより、タービンの運転休止時にスプレイ管内に水を供給しなくても、スプレイ管群の外側の空気がノズルから各スプレイ管内に混入するのを抑制することができる。
【００１２】
また、本発明に係るスプレイ装置では、蒸気タービンの復水器に設けられるスプレイ装置であって、水路をなすスプレイ管に基端を接続して上向き或いは斜め上向きに延びる枝管が設けられ、枝管の先端に噴出口を下に向けたノズルが設けられていることを特徴としている。
本発明では、タービンの運転時には、ノズルから下向きに水を噴霧し、スプレイ管の下方に配置される細管を冷却することができる。そして、タービンの運転休止時において、下向きに設けられるノズルから枝管内に空気が浸入するものの、枝管がスプレイ管に対して上向き或いは斜め上向きとなっているので、空気の浸入量が制限され、その枝管に溜まる空気の容積を大幅に低減することができ、ノズルからの水の滴下を無くすことができる。そして、タービンの運転休止時にスプレイ管内に水を供給しなくても、スプレイ管の外側の空気がノズルからスプレイ管内に混入するのを抑制することができる。そのため、タービンの再運転時に、ノズルから噴出される気体の排出時間が短く、その気体排出による増速が殆どなくなるので、これによる大きな圧力変動が生じることがなく、ウォーターハンマの発生を防止することができる。
【００１３】
また、本発明に係るスプレイ装置では、蒸気タービンの復水器に設けられるスプレイ装置であって、水路をなすスプレイ管の下部に、噴出口を下に向けたノズルが設けられ、ノズルには、スプレイ管内の水圧に応じて噴出口を開閉する閉止手段が設けられていることを特徴としている。
本発明では、タービンの運転休止時において、ノズルにスプレイ管内の流体の噴出圧力がかかっていない状態のとき、閉止手段によって噴出口が閉止され、スプレイ管内の水が噴出口から漏れ出すことが防止され、また空気がノズルよりスプレイ管内に混入することもない。一方、運転再開時には、スプレイ管内の水圧が上昇するので噴出口が閉止手段によって開放され、ノズルから下向きに水を噴霧し、スプレイ装置の下方に配置される細管を冷却することができる。
そのため、タービンの運転休止時にスプレイ管内に水を供給しなくても、スプレイ管の外側の空気がノズルからスプレイ管内に混入するのを抑制することができ、ノズルからの水の滴下を無くすことができる。そして、タービンの再運転時にノズルからの噴出が気体から流体に変わることがなく、これによる大きな圧力変動が生じることがないので、ウォーターハンマの発生を防止することができる。
【００１４】
また、本発明に係るスプレイ装置では、閉止手段は、第１ばね部材によって付勢された第１閉止部を備え、第１ばね部材の付勢時に第１閉止部によって噴出口を閉塞する構成とされたことが好ましい。
また、本発明に係るスプレイ装置では、第１ばね部材は、一端がスプレイ管に固定されると共に、他端に第１閉止部を備えたねじりコイルばねであることが好ましい。
本発明では、タービンの運転時において、スプレイ管内の水圧により第１閉止部が第１ばね部材の付勢に抗して押圧され、これによりノズルの噴出口が開放されて水が噴霧されることになる。そして、運転休止時には、ノズルにスプレイ管内の水圧がかからなくなるので、第１ばね部材の付勢により第１閉止部が元の状態に戻って噴出口を閉塞することができる。
【００１５】
また、本発明に係るスプレイ装置では、閉止手段は、ノズルとスプレイ管との間に流路体が介装され、流路体内に第２ばね部材によって付勢された第２閉止部を備えた構成をなし、第２ばね部材の付勢時に第２閉止部によって流路体の流路を閉塞する構成とされたことが好ましい。
本発明では、タービンの運転時において、スプレイ管内の水圧により流路体内の第２閉止部が第２ばね部材の付勢に抗して押圧され、これにより流路体の流路が開放されてノズルより水が噴霧されることになる。そして、運転休止時には、流路体にスプレイ管内の水圧がかからなくなるので、第２ばね部材の付勢により第２閉止部が元の状態に戻って前記流路を閉塞することができる。
【発明の効果】
【００１６】
本発明のスプレイ装置によれば、タービンの運転休止時にスプレイ管内に水を供給しなくても、スプレイ管の外側の空気がノズルからスプレイ管内に混入するのを抑制することで、ノズルからの水の滴下を無くすことができ、滴下により生じるスプレイ管下の細管の壊食等を防止することができる。
【図面の簡単な説明】
【００１７】
【図１】本発明の第１の実施の形態による復水器の全体構成を示す正面図である。
【図２】スプレイ装置１Ａを上方から見た図である。
【図３】図２にスプレイ装置の分岐管の断面図である。
【図４】第２の実施の形態によるスプレイ装置１Ｂを上方から見た図である。
【図５】図４に示す分岐管の断面図であって、（ａ）はタービンの運転時の図、（ｂ）は運転休止時の図である。
【図６】第３の実施の形態によるスプレイ装置１Ｃを上方から見た図である。
【図７】図６に示すスプレイ管群の断面図であって、（ａ）はタービンの運転時の図、（ｂ）は運転休止時の図である。
【図８】第４の実施の形態によるスプレイ装置１Ｄを示す断面図である。
【図９】第５の実施の形態によるスプレイ装置１Ｅを示す断面図であって、（ａ）はタービンの運転休止時の図、（ｂ）は運転時の図である。
【図１０】第６の実施の形態によるスプレイ装置１Ｆを示す断面図であって、（ａ）はタービンの運転休止時の図、（ｂ）は運転時の図である。
【図１１】従来のスプレイ装置の一例を示す図である。
【発明を実施するための形態】
【００１８】
以下、本発明の実施の形態によるスプレイ装置について、図面に基づいて説明する。
（第１の実施の形態）
図１に示す第１の実施の形態によるスプレイ装置１Ａは、蒸気タービンにおける復水器２内に設けられている。復水器２は、細管２１と、その上方に設けられる低圧給水加熱器２２とを有し、その低圧給水加熱器２２の下に設置された梁材２３に前記スプレイ装置１Ａが設けられている。なお、図１では、２基の復水器２、２を示している。
【００１９】
図２に示すように、スプレイ装置１Ａは、水路をなすスプレイ管１１の上部にその管の長手方向に沿って所定間隔をもって複数のノズル１２、１２、…を設けた構造となっている。スプレイ管１１は、内部を流通する水の上流側の供給管１１ａから下流側で複数本（ここでは４本）に分岐された経路により構成されている。すなわち、供給管１１ａの下流側には一方向（図２でＹ方向）に４本の分岐管１１ｂ〜１１ｅが配列され、供給管１１ａと分岐管１１ｂ〜１１ｅが連通している。
【００２０】
図３に示すように、ノズル１２は、噴出口１２ａを上に向けた状態でスプレイ管１１の天端部に設けられている。つまり、ノズル１２から噴霧された水滴は、ある程度の高さまで吹き上がり、その後、重力によって自然落下することになる。
【００２１】
このように構成されるスプレイ装置１Ａでは、タービンの運転時には、上述しようにノズル１２から上向きに水を噴霧し、その噴霧した水がある高さで下方に落ちるのでスプレイ管１１の下方に配置される細管２１を冷却することができる。
そして、ノズル１２の噴出口１２ａが上向きであるので、タービンの運転休止時にスプレイ管１１内に水を供給しなくても、スプレイ管１１の外側の空気がノズル１２からスプレイ管１１内に混入するのを抑制することができ、ノズル１２からの水の滴下を無くすことができる。また、タービンの再運転時にノズル１２からの噴出が気体から流体に変わることがなく、これによる大きな圧力変動が生じることがないので、ウォーターハンマの発生を防止することができ、ウォーターハンマの影響により生じる振動や音を無くすことが可能となる。
【００２２】
上述した本第１の実施の形態によるスプレイ装置では、タービンの運転休止時にスプレイ管１１内に水を供給しなくても、スプレイ管１１の外側の空気がノズル１２からスプレイ管１１内に混入するのを抑制することで、ノズル１２からの水の滴下を無くすことができ、滴下により生じるスプレイ管１１下の細管２１の壊食等を防止することができる。
【００２３】
次に、本発明のスプレイ装置による他の実施の形態について、添付図面に基づいて説明するが、上述の第１の実施の形態と同一又は同様な部材、部分には同一の符号を用いて説明を省略し、第１の実施の形態と異なる構成について説明する。
【００２４】
（第２の実施の形態）
図４および図５に示すように、第２の実施の形態によるスプレイ装置１Ｂは、スプレイ管１１の分岐管１１ｂ〜１１ｅがそれぞれ中心軸線Ｏを中心にして回転可能となっている。スプレイ管１１は、各分岐管１１ｂ〜１１ｅと連結管１１ｆ、１１ｇとの接続部Ｔ１のそれぞれに回転継手１３が設けられており、図示しない回転駆動手段によって各分岐管１１ｂ〜１１ｅがそれぞれ単独で回転することが可能となっている。このときの回転範囲は、少なくとも１８０度である。
【００２５】
回転継手１３としては、ロータリージョイントやスイベルジョイントなどの周知の回転シール機構を採用することができる。
ここで、図５（ａ）はタービンの運転時を示しており、図５（ｂ）は運転休止時を示している。ノズル１２は、運転時に噴出口１２ａが下向きとなるように各スプレイ管１１の下側に設けられている。
【００２６】
本スプレイ装置１Ｂでは、図５（ａ）に示すように、タービンの運転時においてノズル１２をスプレイ管１１の下側にして管内に水圧をかけて図１に示す細管２１に向けて噴霧する。そして、運転休止時には、図５（ｂ）に示すように上記回転駆動手段により分岐管１１ｂ〜１１ｅのそれぞれを中心軸線Ｏを中心にして１８０度回転（矢印Ｆ１方向）させ、ノズル１２の位置を上下反転させ、噴出口１２ａが上向きとなるようにして配置する。
【００２７】
本第２の実施の形態のスプレイ装置１Ｂによれば、運転休止中にノズル１２がスプレイ管１１の上に位置するので、スプレイ管１１内に水を供給しなくても、スプレイ管１１の外側の空気がノズル１２からスプレイ管１１内に混入するのを抑制することができる。したがって、再運転時にスプレイ管１１に水を供給して水圧をかけてもウォーターハンマが発生せず、上述した第１の実施の形態と同様で、ウォーターハンマの影響により生じる振動や音を無くすことができるという効果を奏する。
【００２８】
（第３の実施の形態）
図６および図７に示すように、第３の実施の形態によるスプレイ装置１Ｃは、スプレイ管１１の分岐管１１ｂ〜１１ｅの全てを同時に供給管１１ａの中心軸線Ｏ１を中心にして回転可能とした構成をなしている。つまり、４本の分岐管１１ｂ〜１１ｅと連結管１１ｆ、１１ｇとからなるスプレイ管群１１Ａと供給管１１ａとの接続部Ｔ２に回転継手１３が設けられている。そして、スプレイ管群１１Ａは、図示しない回転駆動手段によって供給管１１ａを中心にして一体的に１８０度回転（矢印Ｆ２方向）する構成となっている。
なお、回転継手１３としては、第１の実施の形態と同様のものを用いることができるので、ここでは説明を省略する。
【００２９】
ここで、図７（ａ）はタービンの運転時を示しており、図７（ｂ）は運転休止時を示している。各分岐管１１ｂ〜１１ｅのノズル１２は、運転時に噴出口１２ａが下向きとなるように各スプレイ管１１の下側に設けられている。
【００３０】
本スプレイ装置１Ｃでは、図７（ａ）に示すように、タービンの運転時においてノズル１２をスプレイ管１１の下側にして配管内に水圧をかけて図１に示す細管２１に向けて噴霧する。そして、運転休止時には、図７（ｂ）に示すように、上記回転駆動手段によりスプレイ管群１１Ａを供給管１１ａの中心軸線Ｏを中心に１８０度回転（矢印Ｆ２方向）させることで、全ての分岐管１１ｂ〜１１ｅを同時に回転させ、ノズル１２の位置を上下反転させ、噴出口１２ａが上向きとなるようにして配置する。これにより、タービンの運転休止時にスプレイ管１１内に水を供給しなくても、スプレイ管群１１Ａの外側の空気がノズル１２から各分岐管１１ｂ〜１１ｅ内に混入するのを抑制することができる。
【００３１】
本第３の実施の形態のスプレイ装置１Ｃによれば、上述した実施の形態と同様の作用効果が得られ、ウォーターハンマの影響により生じる振動や音を無くすことができる。さらに、複数の分岐管１１ｂ〜１１ｅを同時に回転させることができるので、上述した第２の実施の形態のように分岐管１１ｂ〜１１ｅ毎に回転継手１３を設ける場合に比べて、簡単な構造とすることができ、コストを抑えることができる。
【００３２】
（第４の実施の形態）
図８に示す第４の実施の形態によるスプレイ装置１Ｄは、スプレイ管１１に基端１４ｃを接続して斜め上向きに延びる枝管１４が設けられ、その枝管１４の先端１４ａに噴出口１２ａを下に向けたノズル１２を設けた構成となっている。
この場合、タービンの運転時には、ノズル１２から下向きに水を噴霧し、スプレイ管１１の下方に配置される細管２１（図１参照）を冷却することができる。そして、タービンの運転休止時において、下向きに設けられるノズル１２から枝管１４内に空気Ｅが浸入するものの、枝管１４が斜め上向きになっているので、空気の浸入量は制限され、図８に示すようにノズル１２の近傍（ノズル１２の位置から少し下がった位置）までスプレイ管１１内の水Ｗが溜まった状態となる。
一方、再運転時には、枝管１４の上部１４ｂに溜まった僅かな空気Ｅがノズル１２より噴出した後、水Ｗの噴霧に切り替わる。
【００３３】
本第４の実施の形態のスプレイ装置１Ｄによれば、空気Ｅの溜まる容積を大幅に低減することができ、ノズル１２からの水の滴下を無くすことができる。そして、タービンの運転休止時にスプレイ管１１内に水を供給しなくても、スプレイ管１１の外側の空気がノズル１２からスプレイ管１１内に混入するのを抑制することができる。そのため、タービンの再運転時に、ノズル１２から噴出される気体の排出時間が短く、その気体排出による増速が殆どなくなるので、これによる大きな圧力変動が生じることがなく、ウォーターハンマの発生を防止することができる。
【００３４】
（第５の実施の形態）
図９に示すように、第５の実施の形態によるスプレイ装置１Ｅは、スプレイ管１１内の水圧に応じて、スプレイ管１１に下向きに設けられたノズル１２の噴出口１２ａを開閉するばね係止体１５（閉止手段）を備えた構成である。
ばね係止体１５は、Ｌ字状の状態でその内角側に向けて付勢されており、その角部にねじり部１５ｂを有するねじりコイルばね（本願発明の「第１ばね部材」に相当する）が用いられている。そして、一端１５ａがスプレイ管１１に固定され、他端１５ｄにはノズル１２の噴出口１２ａを液密に塞ぐ閉止部１５ｃ（第１閉止部）が設けられている。
【００３５】
図９（ａ）に示すように、タービンの運転休止時には、ノズル１２に流体の噴出圧力がかかっていない状態で、ばね係止体１５の矢印Ｐ１方向の付勢によってノズル１２の噴出口１２ａが閉止されている。そのため、スプレイ管１１内の水が噴出口１２ａから漏れ出すことがなく、また、空気がノズル１２よりスプレイ管１１内に混入することもない。
一方、図９（ｂ）に示すように、運転再開時（タービンの運転時）には、スプレイ管１１内の圧力が上昇し、この水圧によって閉止部１５ｃが押圧され、ばねの付勢に抗して第２ばね部１５ｄがねじり部１５ｂを中心にして矢印Ｐ２方向に回動し、ノズル１２の噴出口１２ａが開放されて水が噴霧されることになる。そして、ノズル１２から水が噴出しなくなると、ばね係止体１５の付勢により元の状態に戻って閉止部１５ｃによって噴出口１２ａを閉塞する。
【００３６】
このように第５の実施の形態のスプレイ装置１Ｅによれば、タービンの運転休止時にスプレイ管１１内に水を供給しなくても、スプレイ管１１の外側の空気がノズル１２からスプレイ管１１内に混入するのを抑制することができ、ノズル１２からの水の滴下を無くすことができる。そして、タービンの再運転時にノズル１２からの噴出が気体から流体に変わることがなく、これによる大きな圧力変動が生じることがないので、ウォーターハンマの発生を防止することができ、上述した実施の形態と同様に、ウォーターハンマの影響により生じる振動や音を無くすことができる。
【００３７】
（第６の実施の形態）
図１０に示すように、第６の実施の形態によるスプレイ装置１Ｆは、スプレイ管１１と、その下側に下向きに設けられたノズル１２との間に流路体１６を介装させた構成となっている。流路体１６内には、コイルばねからなるばね部材１７（第２ばね部材）によって付勢された閉止部１８（第２閉止部）を備えている。ばね部材１７は、付勢時の状態で閉止部１８によって流路体１６の流路１６ａを閉塞する構成となっている。
【００３８】
さらに具体的には、流路体１６は、スプレイ管１１側の上側流路１６ａと、ノズル１２側で上側流路１６ａよりも断面が大きい下側流路１６ｂとからなる。ばね部材１７は、上側流路１６ａ内で略同軸に配置され、その上端１７ａが上側流路１６ａに固定されている。閉止部１８は、下側流路１６ｂ内に配置され、ばね部材１７の下端１７ｂに固定されている。そして、閉止部１８は、ばね部材１７によって上側流路１６ａ側（上側）に付勢されており、スプレイ管１１内に水圧がかかっていない初期状態において、上面１８ａがばね部材１７の付勢によって上側流路１６ａと下側流路１６ｂとの間の段差面１６ｃに液密に当接している。
【００３９】
このように第５の実施の形態のスプレイ装置１Ｆによれば、タービンの運転時において、スプレイ管１１内の水圧がある値以上になったとき流路体１６内の閉止部１８がばね部材１７の付勢に抗して押圧され、これにより流路体１６の流路が開放されてスプレイ管１１内の水がノズル１２側（矢印Ｗ１、Ｗ２）へ流れ、ノズル１２より水が噴霧されることになる。
そして、タービンの運転休止時には、流路体１６にスプレイ管１１内の水圧がかからなくなるので、ばね部材１７の付勢により第２閉止部が元の状態に戻って流路を閉塞することができる。そのため、運転休止中であってもスプレイ管１１内には空気が混入しないので、ノズル１２からの水の滴下を無くすことができ、またウォーターハンマが生じることがないことから、上述した実施の形態と同様に、ウォーターハンマの影響により生じる振動や音を無くすことができる。
【００４０】
以上、本発明によるスプレイ装置の実施の形態について説明したが、本発明は上記の実施の形態に限定されるものではなく、その趣旨を逸脱しない範囲で適宜変更可能である。
例えば、本実施の形態ではスプレイ管１１として４本の分岐管１１ｂ〜１１ｅを備えているが、この本数に限定されることはない。また、連結管１１ｆ、１１ｇにノズル１２を設けることも可能である。
また、本実施の形態では各分岐管１１ｂ〜１１ｅ、スプレイ管群１１Ａの回転手段としてスイベルジョイント等の回転継手１３を採用しているが、このような継手に限定されることはなく、また回転継手の位置等の構成は適宜変更することができる。
【００４１】
また、上述した第４の実施の形態によるスプレイ装置１Ｄでは、スプレイ管１１に基端１４ｃを接続して斜め上向きに延びる枝管１４を設けた構成としているが、枝管の向きは鉛直方向で上向きであってもよい。要は、枝管の長さ、向きなどはスプレイ管１１の条件に応じて任意に設定することができる。
【００４２】
さらにまた、スプレイ管、ノズルの部材、長さ寸法、形状、数量等の構成は適宜変更することができる。
その他、本発明の趣旨を逸脱しない範囲で、上記した実施の形態における構成要素を周知の構成要素に置き換えることは適宜可能であり、また、上記した実施の形態を適宜組み合わせてもよい。
【符号の説明】
【００４３】
１Ａ〜１Ｆ  スプレイ装置
２  復水器
１１  スプレイ管
１１Ａ  スプレイ管群
１１ａ  供給管
１１ｂ〜１１ｅ  分岐管
１１ｆ、１１ｇ  連結管
１２  ノズル
１３  回転継手
１４  枝管
１５  ばね係止体(閉止手段)
１５ｃ  閉止部（第１閉止部）
１６  流路体（閉止手段）
１７  ばね部材（第２ばね部材）
１８  閉止部（第２閉止部）
２１  細管
【図１】
2011122803.tif 000003
【図２】
2011122803.tif 000004
【図３】
2011122803.tif 000005
【図４】
2011122803.tif 000006
【図５】
2011122803.tif 000007
【図６】
2011122803.tif 000008
【図７】
2011122803.tif 000009
【図８】
2011122803.tif 000010
【図９】
2011122803.tif 000011
【図１０】
2011122803.tif 000012
【図１１】
2011122803.tif 000013